(57)【要約】【課題】回転軸の安定した平衡回転を維持し、アセンブリーの磨損と騒音とを避け、使用寿命を延ばすことのできるファン及びモーターを提供する。【解決手段】本発明のファンはモーター及びインペラを有し、モーターはインペラを駆動し回転させ、モーターはベース、ベアリング、固定子、回転子及び磁性体を含む。ベースの中央は延伸してブッシングを形成し、ベアリングはブッシング内に収納され、固定子はブッシングの外周縁に設けられ、回転子と固定子は対応設置され、且つ回転軸はベアリングに貫入され、磁性体はブッシングの底部に設置され、且つ回転軸の一端部に隣接する。【選択図】図２
2008172994.tif 000002
【特許請求の範囲】
【請求項１】
中央部分が延伸してブッシングを形成するベースと、
前記ブッシング内に収納されるベアリングと、
前記ブッシングの外周縁にはめ入れられる固定子と、
前記固定子と対応設置され、且つ前記ベアリングに貫入する回転軸を有する回転子と、
前記ブッシングの底部に設置され、且つ前記回転軸の一端部に隣接する磁性体とを含むことを特徴とするモーター。
【請求項２】
さらに、前記ブッシングの底部に設置され、且つ前記磁性体に隣接する磁気抵抗素子を含むことを特徴とする請求項１に記載のモーター。
【請求項３】
前記磁気抵抗素子は前記ブッシングの底部に一体成型される、または粘着、溶接或いは嵌め合わせの方式で前記ブッシングの底部に連結されることを特徴とする請求項２に記載のモーター。
【請求項４】
前記磁気抵抗素子は前記磁性体と連結される或いは前記磁性体の下方に位置することを特徴とする請求項２に記載のモーター。
【請求項５】
前記磁気抵抗素子は円形の片状、環状の片状或いは円筒状を呈し、前記磁気抵抗素子が円筒状の時、前記磁気抵抗素子は前記ブッシングの底部に設置され、前記磁性体と耐磨耗ワッシャー（ＷＥＡＲ  ＷＡＳＨＥＲ）とが前記磁気抵抗素子の中にはめ入れられることを特徴とする請求項２に記載のモーター。
【請求項６】
前記磁気抵抗素子は前記磁性体の磁性が前記モーターの外部システムを妨害するのを避けるのに用いられることを特徴とする請求項２に記載のモーター。
【請求項７】
さらに、前記ブッシングの底部に設置され、且つ前記回転軸の前記一端部に接する耐磨耗ワッシャー（ＷＥＡＲ  ＷＡＳＨＥＲ）を含むことを特徴とする請求項２に記載のモーター。
【請求項８】
前記磁気抵抗素子の上方は前記磁性体と耐磨耗ワッシャーとを受けることを特徴とする請求項７に記載のモーター。
【請求項９】
前記耐磨耗ワッシャー（ＷＥＡＲ  ＷＡＳＨＥＲ）は前記磁気抵抗素子と連結される或いは前記磁気抵抗素子と一体成型で製作されることを特徴とする請求項８に記載のモーター。
【請求項１０】
前記磁性体は磁鉄、電磁石或いは磁石であり、環状を呈し、且つ前記回転軸の前記一端部の周囲に環設され、且つ前記ベアリングに接することを特徴とする請求項１に記載のモーター。
【請求項１１】
さらに、前記回転子と対応設置され、回路板に設置されるホール素子である磁気インダクタンス素子を含むことを特徴とする請求項１に記載のモーター。
【請求項１２】
モーター及びインペラを有し、前記モーターは前記インペラを駆動し回転させるファンであって、
前記モーターは、
中央部分が延伸してブッシングを形成するベースと、
前記ブッシング内に収納されるベアリングと、
前記ブッシングの外周縁にはめ入れられる固定子と、
前記固定子と対応設置され、且つ前記ベアリングに貫入する回転軸を有する回転子と、
前記ブッシングの底部に設置され、且つ前記回転軸の一端部に隣接する磁性体とを含むことを特徴とするファン。
【発明の詳細な説明】
【技術分野】
【０００１】
本発明はファン及びそのモーターに関し、特に回転子の安定した平衡回転を維持するファン及びそのモーターに関するものである。
【背景技術】
【０００２】
ファンが回転する時、外界からの作用力或いは気流の回転子に対する反作用力によって、回転子は外に向け移動し、回転子が上下に振動することで平衡位置が変わり、且つ内部のアセンブリー或いは外部のアセンブリーと機械干渉が発生し、ノイズの発生及びアセンブリーの磨損が引き起こされる。また、回転子の外に向う運動は、回転子と磁気インダクタンス素子との間の距離を大きくし、磁気インダクタンス素子の磁場に対する感知効果に影響する。
【０００３】
図１を参照すると、この問題を解決するため、従来のファン１はモーター１０及びインペラ１００を含み、モーター１０はインペラ１００を駆動し回転させる。モーター１０は、ベース１１、回転子１２、ベアリング１３、固定子１４、耐磨耗ワッシャー１７（ＷＥＡＲ  ＷＡＳＨＥＲ）、回路板１８及びホール素子（Ｈａｌｌ  ｅｌｅｍｅｎｔ）１９を含む。ベース１１の中央部分が延伸しブッシング１１１を形成し、その中には順番に耐磨耗ワッシャー１７（ＷＥＡＲ  ＷＡＳＨＥＲ）及びベアリング１３がはめ入れられる。固定子１４はブッシング１１１に設けられ且つ回路板１８と電気接続される。回転子１２及び固定子１４は対応設置され、且つ回転子１２は回転軸１２１及び磁性リング１２２を有する。回転軸１２１はブッシング１１１にはめ入れられ、ベアリング１３に貫入され、且つ耐磨耗ワッシャー１７（ＷＥＡＲ  ＷＡＳＨＥＲ）に接する。磁性リング１２２と固定子１４は対応設置される。ホール素子１９は回転子１２の磁極変化を感知するのに用いられる。
【０００４】
モーター１０がインペラ１００を駆動し回転させる時、外界の作用力或いは気流の影響を受けるため、反作用力が回転子１２を外に向け運動させる。回転子１２と固定子１４との間の磁気相互作用力は回転子１２を回転時に一定の浮上平衡位置に維持させることができる。しかし、気流の回転子１２に対する作用力或いは電磁力の切換の変化により、回転子１２が上下に振動しやすいため、これにより平衡位置が変わり、ノイズとアセンブリーの磨損とが生じ、ファン１の放熱効果と使用寿命とに影響する。回転子１２の回転の安定度を高めるため、従来技術は通常回転子１２の磁性リング１２２の中心線と固定子１４の中心線との距離、即ち、磁気中心線オフセットＤ（ＭＡＧＮＥＴＩＣ  ＣＥＮＴＥＲＬＩＮＥ  ＯＦＦＳＥＴ）を調整することにより、回転子１２と固定子１４との間の磁気相互作用力を強めさせ、回転子１２に平衡で安定した回転の作用を達成させる。
【０００５】
しかし、構造の制限により、磁気中心線オフセットＤ（ＭＡＧＮＥＴＩＣ  ＣＥＮＴＥＲＬＩＮＥ  ＯＦＦＳＥＴ）の調整には一定の範囲があるため、調整の要求を満足させることができない。また、磁気中心線オフセットＤ（ＭＡＧＮＥＴＩＣ  ＣＥＮＴＥＲＬＩＮＥ  ＯＦＦＳＥＴ）が過大であると、電器切換ノイズ（Ｓｗｉｃｈ  Ｎｏｉｓｅ）が生じ雑音が発生し、且つ回路板１８に設置されるホール素子１９と回転子１２との間の距離が大きくなり、ホール素子１９が感知できる磁場が弱くなり、さらに、モーター１０の特性（例えば電流波形及び回転速度など）が影響を受ける。
【０００６】
よって、いかに、回転子の安定した平衡回転を維持し、アセンブリーの磨損と騒音とを避け、同時に回転子とインダクタンス素子との間の距離を減少し、インダクタンス素子の磁場に対する感知度を高め、さらに信頼度を向上させ、使用寿命を延ばすことができるファン及びそのモーターを提供するかは、重要の課題の一つである。
【発明の開示】
【発明が解決しようとする課題】
【０００７】
上述の課題に鑑み、本発明の目的は、磁性体をブッシングの底部に設置し、且つ回転軸の一端部に隣接させることによって、磁性体と回転軸の一端部とに磁気相互作用力を発生させ、回転軸の安定した平衡回転を維持し、アセンブリーの磨損と騒音とを避け、さらに使用寿命を延ばすことのできるファン及びそのモーターを提供することである。
【０００８】
上述の課題に鑑み、本発明のもう一つの目的は、磁性体と回転軸の一端部とに磁気相互作用力を発生させることによって、回転子とインダクタンス素子との間の距離を減少させ、インダクタンス素子の磁場に対する感知度を高め、信頼度を向上させることのできるファン及びそのモーターを提供することである。
【課題を解決するための手段】
【０００９】
上述の目的を達するために、本発明に基づくモーターはベース、ベアリング、固定子、回転子及び磁性体を含む。ベースの中央は延伸してブッシングを形成し、ベアリングはブッシング内に収納され、固定子はブッシングの外周縁に設けられ、回転子と固定子は対応設置され、且つベアリングに貫入する回転軸を有し、磁性体はブッシングの底部に設置され、且つ回転軸の一端部に隣接する。
【００１０】
上述の目的を達するために、本発明に基づくファンはモーター及びインペラを有し、モーターはインペラを駆動し回転させ、モーターはベース、ベアリング、固定子、回転子及び磁性体を含む。ベースの中央は延伸してブッシングを形成し、ベアリングはブッシング内に収納され、固定子はブッシングの外周縁に設けられ、回転子と固定子は対応設置され、且つベアリングに貫入する回転軸を有し、磁性体はブッシングの底部に設置され、且つ回転軸の一端部に隣接する。
【発明の効果】
【００１１】
本発明に基づくファン及びそのモーターはブッシングの底部に磁性体を設置するため、磁性体と回転軸の一端部との磁気相互作用力によって、回転子と固定子との中心線のオフセット（磁気中心線オフセット）を一定距離に調整できるので、回転軸の安定した平衡運転を維持できる。従来技術と比べて、本発明はアセンブリーの磨損と騒音とを避けることができ、使用寿命を延ばす以外に、回転子とインダクタンス素子との間の距離を減少し、インダクタンス素子の磁場に対する感知度を高め、信頼度を向上させることができる。さらに、本発明はさらに磁気抵抗素子と組み合わせることにより、磁場のクライアントシステム内の電子素子に対する影響を有効に阻止することができ、また、耐磨耗ワッシャー（ＷＥＡＲ  ＷＡＳＨＥＲ）と組み合わせることにより、回転軸と磁気抵抗素子間の摩擦を防止することができる。
【発明を実施するための最良の形態】
【００１２】
本発明の上記に述べた目的、特長、長所等をさらに分り易く、図面をもって下記の通り説明を行う。
【００１３】
図２を参照すると、本発明の好ましい実施形態のファン２は、モーター２０及びインペラ２００を含み、モーター２０はインペラ２００を駆動し回転させる。モーター２０は、ベース２１、ベアリング２３、固定子２４、回転子２２及び磁性体２５を含む。ベース２１の中央は延伸してブッシング２１１を形成し、ベアリング２３はブッシング２１１内に収納される。固定子２４はブッシング２１１の外周縁に設けられる。回転子２２は回転軸２２１及び磁性リング２２２を有し、磁性リング２２２は固定子２４と対応設置される。固定子２４はコイルを複数のケイ素鋼板に巻き付けて構成される。回転軸２２１はベアリング２３に貫入される。磁性体２５は環状構造であり、ブッシング２１１の底部に設置され、且つ回転軸２２１の一端部２２１aの周囲に環設され、且つベアリング２３に接する。磁性体２５は例えば磁鉄、電磁石或いは磁石であるが、それらには限られない。
【００１４】
モーター２０はさらに、ブッシング２１１の底部に設置される磁気抵抗素子２６及び耐磨耗ワッシャー２７（ＷＥＡＲ  ＷＡＳＨＥＲ）を含む。本実施形態においては、磁気抵抗素子２６は円形の片状、環状の片状或いは円筒状を呈し、且つ磁性体２５に隣接する。磁気抵抗素子２６は例えば粘着、溶接或いは嵌め合いの方式でブッシング２１１の底部に連結され、且つ磁性体２５の下方に連結する。連結の方式はこれらだけとは限らない。耐磨耗素子２７（ＷＥＡＲ  ＷＡＳＨＥＲ）は磁気抵抗素子２６の上に設置され、且つ回転軸２２１の一端部２２１aに接し、回転軸２２１と磁気抵抗素子２６或いはブッシング２１１との摩擦を防止し、磨損を減少させる。
【００１５】
モーター２０はさらに磁気インダクタンス素子２９を含み、例えば、ホール素子を含み、且つ回路板２８の下方に回転子２２の磁性リング２２２と対応して設置され、回転子２２の磁性リング２２２回転時の磁極変化を感知するのに用いられる。
【００１６】
磁性体２５が提供する作用原理及び効果は次の通りである。ファン２が回転状態にある時、外界の作用力或いは気流の回転子２２に対する反作用力により、回転子２２が外方向きへ運動し、且つ回転子２２はフレーム体より高く突き出し、それによって、回転子２２と固定子２４との平衡位置が変わる。磁性体２５は回転軸２２１の一端部２２１aの周囲に環設されているため、磁性体２５と回転軸２２１の一端部２２１aとの間の磁気相互作用力によって、磁性体２５は回転軸２２１の一端部２２１aにしっかり吸着、固定され、これにより、回転子２２と固定子２４との平衡位置が変わらないだけでなく、回転軸２２１の一端部２２１aが周囲のアセンブリーにぶつからないようになり、安定した回転を継続させることができる。同時に磁気抵抗素子２６は、磁性体２５の磁場が、クライアントのシステム内の電子素子に対して妨害或いはその他の影響を生じるのを阻止することができる。
【００１７】
図３Ａ〜図３Ｄを参照すると、磁気抵抗素子２６及び耐磨耗ワッシャー２７（ＷＥＡＲ  ＷＡＳＨＥＲ）をブッシング２１１の底部に設置する方式には、異なる設置形態がある。図３Ａが示すように、磁気抵抗素子２６をブッシング２１１の底部に一体成型し、その上方は磁性体２５及び耐磨耗ワッシャー２７（ＷＥＡＲ  ＷＡＳＨＥＲ）を受けるようにすることができる。或いは図３Ｂが示すように、耐磨耗ワッシャー２７（ＷＥＡＲ  ＷＡＳＨＥＲ）を磁気抵抗素子２６と一体成型で製作することができ、耐磨耗ワッシャー２７（ＷＥＡＲ  ＷＡＳＨＥＲ）は回転軸２２１の一端部２２１aに接し、磁気抵抗素子２６の上方は磁性体２５を受けるようにすることができる。或いは図３Ｃが示すように、磁気抵抗素子２６及び耐磨耗ワッシャー２７（ＷＥＡＲ  ＷＡＳＨＥＲ）をブッシング２１１の底部に一体成型することができる。このほかに、磁気抵抗素子２６は上述に示されるように、円形の片状或いは環状の片状を呈する以外に、図３Ｄに示されるように、磁気抵抗素子２６‘は、ブッシング２１１の底部に設置され、さらに磁性体２５及び耐磨耗ワッシャー素子（ＷＥＡＲ  ＷＡＳＨＥＲ）２７がはめ入れられるような、円筒状を呈する磁気抵抗カバーとすることができる。これにより、磁性体２５の磁場がクライアントのシステム内の電子素子に対して影響を及ぼすのを避けることができ、磁気抵抗素子２６’がさらに多元化の設計を有することができる。
【００１８】
上述をまとめると、本発明に基づくファン及びそのモーターは、磁性体をブッシングの底部に設置するため、磁性体と回転軸の一端部との磁気相互作用によって、回転子と固定子との中心線のオフセット（磁気中心線オフセット）を一定距離に調整できるので、回転軸の安定した平衡回転を維持できる。従来技術と比べて、本発明はアセンブリーの磨損と騒音とを避け、使用寿命を延ばすことができる。そのほかに、回転子とインダクタンス素子との間の距離を減少し、インダクタンス素子の磁場に対する感知度を高め、信頼度を向上させることができる。さらに、本発明はさらに磁気抵抗素子と組み合わせることにより、クライアントのシステム内の電子素子に磁場の影響が及ばないように磁場を有効に阻止することができ、また、耐磨耗ワッシャー２７（ＷＥＡＲ  ＷＡＳＨＥＲ）と組み合わせることにより回転軸と磁気抵抗素子との間の摩擦を防止することができる。
【００１９】
以上、好適な実施形態を挙げて本発明を説明したが、本発明はこれら実施形態に限定はされないと解されるべきであり、つまり本発明は、（当業者であれば自明であるような）各種変更および均等なアレンジをカバーするものである。上に掲げた実施例は、本発明の原理を説明するための最良の態様を提示すべく選択し記載したものである。即ち、添付の特許請求の範囲は、かかる各種変更および均等なアレンジが全て包含されるように、最も広い意味に解釈されるべきである。
【図面の簡単な説明】
【００２０】
【図１】従来のファン及びそのモーターの説明図である。
【図２】本発明に基づく好ましい実施形態のファン及びそのモーターの説明図である。
【図３Ａ】本発明に基づく好ましい実施形態のファン及びそのモーターの磁気抵抗素子及び耐磨耗ワッシャー（ＷＥＡＲ  ＷＡＳＨＥＲ）の異なる設置形態（１）を示す説明図である。
【図３Ｂ】本発明に基づく好ましい実施形態のファン及びそのモーターの磁気抵抗素子及び耐磨耗ワッシャー（ＷＥＡＲ  ＷＡＳＨＥＲ）の異なる設置形態（２）を示す説明図である。
【図３Ｃ】本発明に基づく好ましい実施形態のファン及びそのモーターの磁気抵抗素子及び耐磨耗ワッシャー（ＷＥＡＲ  ＷＡＳＨＥＲ）の異なる設置形態（３）を示す説明図である。
【図３Ｄ】本発明に基づく好ましい実施形態のファン及びそのモーターの磁気抵抗素子及び耐磨耗ワッシャー（ＷＥＡＲ  ＷＡＳＨＥＲ）の異なる設置形態（４）を示す説明図である。
【符号の説明】
【００２１】
１、２            ファン                    １０、２０    モーター
１００、２００    インペラ                  １１、２１    ベース
１１１、２１１    ブッシング                １２、２２    回転子
１２１、２２１    回転軸                    １２２、２２２  磁石
１３、２３        ベアリング                １４、２４      固定子
１７              耐磨耗ワッシャー（ＷＥＡＲ  ＷＡＳＨＥＲ）
１８、２８        回路板
１９              ホール素子                ２２１a        一端部
２５              磁性体                    ２６、２６´  磁気抵抗素子
２７              耐磨耗ワッシャー（ＷＥＡＲ  ＷＡＳＨＥＲ）
２９              磁気インダクタンス素子
Ｄ                磁気中心線オフセットＤ（ＭＡＧＮＥＴＩＣ  ＣＥＮＴＥＲＬＩＮＥ  ＯＦＦＳＥＴ）
【図１】
2008172994.tif 000003
【図２】
2008172994.tif 000004
【図３Ａ】
2008172994.tif 000005
【図３Ｂ】
2008172994.tif 000006
【図３Ｃ】
2008172994.tif 000007
【図３Ｄ】
2008172994.tif 000008